(57)【要約】【課題】容易にレンズの芯出しを行なうことができるレンズ装置を提供すること。【解決手段】本発明のレンズ装置は、レンズが取り付けられるレンズ枠と、略円筒形状で構成され当該略円筒形状の端面に前記レンズ枠が取り付けられる保持枠と、前記レンズ枠を前記保持枠に向かって付勢する板バネと、を有し、前記保持枠は、前記端面に略円形状にエッジ部が設けられ、当該エッジ部に囲まれた領域であって直径が前記レンズ枠の外径よりも大きく前記レンズ枠が収納されるレンズ枠収納領域と、外周面から前記レンズ枠収納領域まで貫通する貫通孔とを備えること、を有することを特徴とする。【選択図】図２
2011033887.tif 000002
【特許請求の範囲】
【請求項１】
レンズが取り付けられるレンズ枠と、
略円筒形状で構成され当該略円筒形状の端面に前記レンズ枠が取り付けられる保持枠と、
前記レンズ枠を前記保持枠に向かって付勢する板バネと、を有し、
前記保持枠は、前記端面に略円形状にエッジ部が設けられ、当該エッジ部に囲まれた領域であって直径が前記レンズ枠の外径よりも大きく前記レンズ枠が収納されるレンズ枠収納領域と、外周面から前記レンズ枠収納領域まで貫通する貫通孔とを備えること、
を有することを特徴とするレンズ装置。
【請求項２】
前記保持枠は、前記貫通孔を少なくとも３箇所に備えること、
を特徴とする請求項１のレンズ装置。
【請求項３】
前記保持枠は、前記レンズ枠を前記端面に突き当てたときに前記端面における前記レンズ枠の外周部分に相当する位置に接着剤を流し込むための接着溝および接着孔を備えること、
を特徴とする請求項１または２のレンズ装置。
【請求項４】
前記板バネは、前記保持枠に取り付けたときに前記接着溝および前記接着孔に対応する位置に切り欠かかれた接着逃げ部を備えること、
を特徴とする請求項３のレンズ装置。
【請求項５】
前記レンズは、前マスターレンズであること、
を特徴とする請求項１乃至４のいずれか１つのレンズ装置。
【発明の詳細な説明】
【技術分野】
【０００１】
本発明はレンズ装置に係り、特にレンズ装置のレンズ保持構造に関する。
【背景技術】
【０００２】
従来、テレビの取材等で使用される持ち運び可能なＥＮＧ(Electronic News Gathering)カメラに用いられるレンズ装置として、インナーフォーカス方式のレンズ装置やリアフォーカス方式のレンズ装置が知られている（特許文献１、２）。
【０００３】
このようなレンズ装置において、マスターレンズなどのレンズが取り付けられたレンズ枠を保持枠に取り付ける際には、レンズの芯出しを行う（レンズの偏芯を調整する）必要がある。従来技術においては、保持枠には、レンズの光軸に対し垂直なＸＹ方向の２方向について外周面から内周面に向かって、レンズ枠取付部に貫通したネジ孔が形成されていた。そして、このネジ孔にネジを取り付けて、レンズ枠取付部に取り付けられたレンズ枠をネジの締結力によって押したり引いたりして、レンズの芯出しを行なっていた。
【先行技術文献】
【特許文献】
【０００４】
【特許文献１】特開平９−２１１３０３号公報
【特許文献２】特開２００７−１４８０２１号公報
【発明の概要】
【発明が解決しようとする課題】
【０００５】
しかしながら、従来技術のようにネジの締結力でレンズの芯出しを行なうには熟練度を要する。そのため、作業者の熟練度が低い場合には、ネジを回し過ぎることにより、レンズ枠にネジの締結力が大きく作用してレンズ枠を変形させてしまうおそれや、保持枠自体が変形してしまうおそれがある。
【０００６】
本発明はこのような事情に鑑みてなされたもので、容易にレンズの芯出しを行なうことができるレンズ装置を提供すること、を目的とする。
【課題を解決するための手段】
【０００７】
前記目的を達成するために本発明のレンズ装置は、レンズが取り付けられるレンズ枠と、略円筒形状で構成され当該略円筒形状の端面に前記レンズ枠が取り付けられる保持枠と、前記レンズ枠を前記保持枠に向かって付勢する板バネと、を有し、前記保持枠は、前記端面に略円形状にエッジ部が設けられ、当該エッジ部に囲まれた領域であって直径が前記レンズ枠の外径よりも大きく前記レンズ枠が収納されるレンズ枠収納領域と、外周面から前記レンズ枠収納領域まで貫通する貫通孔とを備えること、を有することを特徴とする。
【０００８】
本発明によれば、外周面からレンズ枠収納領域まで貫通する貫通孔を備えるので、容易にレンズの芯出しを行なうことができる。
【０００９】
本発明の一態様として、前記保持枠は、前記貫通孔を少なくとも３箇所に備えること、を特徴とする。
【００１０】
かかる態様によれば、少なくとも３箇所の貫通孔に軸状治具を挿入して、容易にレンズの芯出しを行なうことができる。
【００１１】
本発明の一態様として、前記保持枠は、前記レンズ枠を前記端面に突き当てたときに前記端面における前記レンズ枠の外周部分に相当する位置に接着剤を流し込むための接着溝および接着孔を備えること、を特徴とする。
【００１２】
かかる態様によれば、端面におけるレンズ枠の外周部分に相当する位置に接着溝および接着孔を備えるので、確実に保持枠とレンズ枠を接着させることができる。
【００１３】
本発明の一態様として、前記板バネは、前記保持枠に取り付けたときに前記接着溝および前記接着孔に対応する位置に切り欠かかれた接着逃げ部を備えること、を特徴とする。
【００１４】
かかる態様によれば、板バネは接着溝または接着孔に対応する位置に接着逃げ部を備えるので、接着溝または接着孔に接着剤を容易に流し込むことができる。
【００１５】
本発明の一態様として、前記レンズは、前マスターレンズであること、を特徴とする。
【００１６】
かかる態様によれば、容易に前マスターレンズの芯出しを行なうことができる。
【発明の効果】
【００１７】
本発明によれば、容易にレンズの芯出しを行なうことができる。
【図面の簡単な説明】
【００１８】
【図１】本発明に係るレンズ装置を側面から見た断面図
【図２】前マスターレンズの周辺を側面から見た断面図である。
【図３】マウント取付部の内部に保持枠が収納された状態を示す外観斜視図である。
【図４】保持枠、レンズ枠、板バネの分解斜視図である。
【図５】レンズ枠を保持枠に突き当てた状態を示す図である。
【図６】前マスターレンズの芯出しを行なうときのレンズ装置の後端部の外観斜視図（一部透視図）である。
【発明を実施するための形態】
【００１９】
以下、添付図面に従って本発明に係るレンズ装置の実施の形態について説明する。
【００２０】
［レンズ装置の全体構成］
図１は、本発明が適用された例えば民生用のビデオカメラ、テレビ放送用のＥＮＧカメラ、監視用カメラ等に適用されるリアフォーカス式で可変焦点距離のレンズ装置を側面から見た断面図であり、光軸Ｏから上半分に関して示している。
【００２１】
図１において、レンズ装置１のレンズ鏡胴本体は、主として前枠１０、前固定環１２、第１本体環１４、第２本体環１６、後固定環１８、マウント取付枠２０、及びマウント環２２によって略円筒状に構成されている。
【００２２】
第１本体環１４は、レンズ鏡胴本体の最内周の構成部材であり、この第１本体環１４の外周前方側に前固定環１２がねじにより固定され、前固定環１２の前方に前枠１０がねじにより固定されている。また、第１本体環１４の外周後方側に第２本体環１６がねじにより固定され、第２本体環１６の後方に後固定環１８が、後固定環１８の後方にマウント取付枠２０が、マウント取付枠２０の後方にマウント環２２がそれぞれねじにより固定されている。
【００２３】
尚、前枠１０には、レンズフード２４が装着できるようになっている。また、レンズ装置１は、マウント環２２を介してレンズ交換式のカメラ本体に装着される。
【００２４】
このレンズ装置１における光学系は、物体側から順に、固定レンズ（第１群レンズ）３０、ズーム（変倍）レンズ（第２群レンズ）３２、前マスターレンズ（第３群レンズ）３４、フォーカスレンズ（第４群レンズ）３６、及び後マスターレンズ（第５群レンズ）３８の５群から構成されている。また、前マスターレンズ３４の直前には、虹彩絞り４０が設けられている。
【００２５】
ズームレンズ３２が取り付けられたレンズ枠４２は、押え環４４により移動枠４６に固定されている。第１本体環１４の内周部にはカム筒４８が回動可能に保持されており、移動枠４６は、カムピン４６Ａを介してカム筒４８の内周部に保持されている。
【００２６】
即ち、第１本体環１４の内周面には光軸Ｏ方向の直進溝１４Ａが形成されるとともに、カム筒４８にはカム溝（カム形状の孔）４８Ａが形成されており、移動枠４６に固定されたカムピン４６Ａが、カム筒４８のカム溝４８Ａを挿通して第１本体環１４の直進溝１４Ａに係合されている。これによって移動枠４６は、回転が規制された状態で光軸Ｏ方向に直進可能に保持されるとともに、カムピン４６Ａがカム溝４８Ａに係合する位置に保持される。
【００２７】
従って、カム筒４８が回動すると、カム筒４８のカム溝４８Ａと第１本体環１４の直進溝１４Ａとの交差位置がカム形状に応じた位置に変化し、その交差位置へのカムピン４６Ａの移動によって移動枠４６が光軸Ｏ方向に進退移動する。
【００２８】
一方、第２本体環１６の外周部には、ズームリング５０が回動可能に配置されており、そのズームリング５０の内周面の径方向内向きに棒状の連結軸５２が取り付けられている。この連結軸５２は、第１本体環１４に形成された周方向の長孔（図示せず）を挿通してカム筒４８に連結されている。これにより、ズームリング５０を回動操作すると、それに連動してカム筒４８が回動する。カム筒４８が回動すると、上述のように移動枠４６が進退移動し、移動枠４６と連動してズームレンズ３２が光軸Ｏ方向に移動する。従って、ズームリング５０の回動操作によりズーム倍率が変更されるようになっている。
【００２９】
虹彩絞り４０は、主としてプラスチック製の地板（絞り枠）５４と、菊座（カム板）５６と、絞り枠５４とカム板５６との間に配置された複数枚の絞り羽根５８とによって構成されている。後固定環１８とマウント取付枠２０との間には、アイリスリング６０が回動可能に配設され、このアイリスリング６０には、カム板５６から延出する連結軸５６Ａが連結されている。これにより、アイリスリング６０の回動によりカム板５６が回動し、絞り羽根５８が開閉動作するようになっている。
【００３０】
フォーカスレンズ３６は、光学系の焦点位置を変更するもので、前マスターレンズ３４等を保持する保持枠６２と、この保持枠６２の後端に配設される後マスターレンズ３８のレンズ枠６４との間に保持されているガイド軸及び回り止め（図示せず）により、光軸Ｏ方向に移動可能に支持されている。また、保持枠６２には、ガイド軸を挟んで一対のボイスコイルモータ（ＶＣＭ）６６が配設されており、フォーカスレンズ３６は、このＶＣＭ６６の動力によって電動で駆動されるようになっている。
【００３１】
前固定環１２の外周部には、第１フォーカスリング７０、及び第２フォーカスリング７２がそれぞれ回動可能に配置されている。第１フォーカスリング７０は、回動範囲が規制されておらず、エンドレスに回転させることができるとともに、光軸方向にスライド可能に配設されている。また、第２フォーカスリング７２は、ストッパー軸７４により約１２０度の範囲内で回動できるように規制されている。
【００３２】
第１フォーカスリング７０と第２フォーカスリング７２とが対向する端面には、それぞれ鋸歯状のクラッチ部７０Ａ、７２Ａが形成されており、図１に示す状態では、クラッチ部７０Ａ，７２Ａが連結（噛合）し、第１フォーカスリング７０と第２フォーカスリング７２とが一体的に回動する。従って、この状態で、第１フォーカスリング７０を手動で回動させる場合には、約１２０度の範囲内でのみ回動させることができる。
【００３３】
一方、第１フォーカスリング７０を、クリック用弾性部材７６を乗り越えるように前方にスライドさせると、前記クラッチ部７０Ａ、７２Ａの連結が外れる。これにより第１フォーカスリング７０は、エンドレスで回転できるようになる。
【００３４】
上記構成のレンズ装置１の側面には、ねじ孔８０、８２を介してグリップ部を兼ねた駆動部（図示せず）が取り付けられる。
【００３５】
駆動部は、ズームリング５０、アイリスリング６０を駆動するための駆動手段を有するとともに、内部に制御基板が配設され、シーソー式のズームスイッチにより電動でズームレンズ３２等を駆動制御するとともに、フォーカスレンズ３６や虹彩絞り４０を制御する。
【００３６】
＜各種の検出手段＞
第１本体環１４の外周面には、光軸方向に沿ってリニアポテンショメータが配設されており、このリニアポテンショメータ（ズームリニアＰＯＴ）は、カム筒４８の回転によりズームレンズ３２が光軸方向に移動すると、その移動位置に対応した位置信号（絶対位置を示す信号）をリード線を介して駆動部に出力する。
【００３７】
カム筒４８の後端面には、Ｎ極、Ｓ極が着磁された磁気リング８４が接着されており、第１本体環１４には、前記磁気リング８４に対向して磁気センサ（ＭＲセンサ）が配設されている。カム筒４８とともに磁気リング８４が回転すると、ＭＲセンサはその回転量に対応するパルス数のパルス信号（相対位置を示す信号）をリード線を介して駆動部に出力する。
【００３８】
尚、ズームリニアＰＯＴの出力は、電源投入時に使用され、その後は、ズーム位置検出用のＭＲセンサの出力が使用される。
【００３９】
フォーカスレンズ３６のガイド軸に対向する保持枠６２には、フォーカスレンズ位置検出用のＭＲセンサが配設されており、このＭＲセンサは、フォーカスレンズ３６の移動量に対応するパルス数のパルス信号（相対位置を示す信号）をリード線を介して駆動部に出力する。また、フォーカスレンズ３６の基準位置を検出するためのホームポジションセンサ（フォトインタラプタ）が保持枠６２内に配設されており、駆動部は、ホームポジションセンサによって検出されたフォーカスレンズ３６の基準位置を基準にしてＭＲセンサの出力信号をカウントすることによりフォーカスレンズ３６の絶対位置を検知している。
【００４０】
第１フォーカスリング７０及び第２フォーカスリング７２の周囲には、それぞれ歯車７０Ｂ，７２Ｂが形成されており、これらの歯車７０Ｂ，７２Ｂは、それぞれ駆動部側に設けられた相対位置検出型センサ（インクリメンタルエンコーダ）、及び絶対位置検出型センサ（アブソリュートエンコーダ）の検出軸の歯車に連結している。
【００４１】
これにより、駆動部は、第１フォーカスリング７０の相対的な回転量を検知することができるとともに、第２フォーカスリング７２の絶対的な回転位置を検知することができる。
【００４２】
また、前固定環１２の先端部には、フォトインタラプタ８６が配設されており、一方、第１フォーカスリング７０の先端には、遮光板７０Ｃが設けられている。このフォトインタラプタ８６は、遮光板７０Ｃの有無を示す検出信号を駆動部に出力する。これにより駆動部は、フォトインタラプタ８６からの検出信号により第１フォーカスリング７０が第２フォーカスリング７２に連結しているか否かを検知することができる。
【００４３】
［レンズ制御］
マウント取付枠２０の側面には、スライド式のマクロＯＮ／ＯＦＦスイッチと、ＡＦ／ＭＦ切替えスイッチと、ノンロック式のＡＦプッシュスイッチとが配設されており、これらのスイッチの操作に伴う出力信号は、リード線を介して駆動部に加えられるようになっている。
【００４４】
ここで、マクロＯＮ／ＯＦＦスイッチは、マクロ撮影モードをＯＮ／ＯＦＦさせるスイッチである。ＡＦ／ＭＦ切替えスイッチは、被写体像のコントラストが最大になるように自動的にフォーカスレンズ３６を移動させて焦点調節を行うオートフォーカス（ＡＦ）モードと、第１フォーカスリングを手動で回動操作することによりフォーカスレンズ３６を移動させて焦点調節を行うマニュアルフォーカス（ＭＦ）モードとを切り替えるスイッチである。ＡＦプッシュスイッチは、ＡＦ／ＭＦ切替えスイッチによりＭＦモードに切り替えられている場合に、キートップが押下（プッシュ）されている期間だけＡＦモードに切り替えるスイッチである。
【００４５】
＜フォーカス制御＞
ＡＦ／ＭＦ切替えスイッチによりＡＦモードに切り替えられている場合には、駆動部は、第１フォーカスリング７０、第２フォーカスリング７２の操作にかかわらず、自動的にフォーカスレンズ３６を合焦位置に移動させるＡＦ制御を行う。
【００４６】
一方、ＡＦ／ＭＦ切替えスイッチによりＭＦモードに切り替えられている場合には、第１フォーカスリング７０のスライド位置に応じて、フルＭＦモード（端付き）とＡＦ／ＭＦモード（エンドレス）とが切り替えられるようになっている。
【００４７】
即ち、駆動部は、前述したフォトインタラプタ８６からの検出信号により第１フォーカスリング７０のスライド位置（第１フォーカスリング７０が第２フォーカスリング７２に連結しているか否か）を検知することができ、第１フォーカスリング７０が第２フォーカスリング７２に連結している場合にはフルＭＦモードに切り替え、第１フォーカスリング７０が第２フォーカスリング７２に連結していない場合にはＡＦ／ＭＦモードに切り替える。
【００４８】
駆動部は、第１フォーカスリング７０が第２フォーカスリング７２に連結しているフルＭＦモード時には、第２フォーカスリング７２の歯車７２Ｂに連結している絶対位置検出型センサからの絶対位置信号（至近から無限遠の範囲内の撮影距離を指令する信号）と、電源投入時のズームリニアＰＯＴの出力及びその後のズーム位置検出用のＭＲセンサの出力から得られるズーム位置の絶対位置を示す信号（ズーム倍率を示す信号）とに基づいてフォーカスレンズ３６を駆動制御する。即ち、撮影距離に対応するフォーカスレンズ３６の移動すべき位置は、ズームレンズ３２の現在のズーム位置（ズーム倍率）に応じて予め設定されており、駆動部は、第１フォーカスリング７０の手動操作に連動して第２フォーカスリング７２が回動すると、その回動位置を示す信号（撮影距離を指令する信号）と現在のズーム倍率とに基づいてフォーカスレンズ３６を対応する位置に移動させる。
【００４９】
このようにフルＭＦモードに切り替えられると、第１フォーカスリング７０を手動で操作することにより、フォーカスレンズ３６を所望の撮影距離に対応する位置に移動させることができる。尚、第１フォーカスリング７０は、ストッパー軸７４によって回動範囲が規制されている端付きの第２フォーカスリング７２に連結しているため、その回動範囲が第２フォーカスリング７２と同様に規制され、至近端から無限遠端に対応する回動範囲内で回動できるようになっている。
【００５０】
上記フルＭＦモードは、第１フォーカスリング７０が第２フォーカスリング７２を介して回動範囲が制限されており、操作者は、第１フォーカスリング７０が端に到達したときの操作感によってフォーカスレンズ３６が至近端又は無限遠端に到達したことを認識することができる。このような第１フォーカスリング７０のみによるフォーカス操作は、本職のカメラマン等が使い慣れた方式である。
【００５１】
一方、第１フォーカスリング７０が第２フォーカスリング７２に連結していないＡＦ／ＭＦモード時には、第１フォーカスリング７０を回動させることによりフォーカスレンズ３６を移動させるＭＦモードと、前述したＡＦプッシュスイッチの押下によるＡＦモードとを適宜使い分けてフォーカス制御を行うことができる。
【００５２】
即ち、駆動部は、ＡＦ／ＭＦモード時に第１フォーカスリング７０が操作され、第１フォーカスリング７０の歯車７０Ｂに連結している相対位置検出型センサからの相対位置信号を入力すると、その相対位置信号に基づいてフォーカスレンズ３６を駆動制御し、第１フォーカスリング７０の回動量に対応した移動量だけフォーカスレンズ３６を移動させる。
【００５３】
尚、ＡＦ／ＭＦモード時には第１フォーカスリング７０は、第２フォーカスリング７２に連結していないため、その回動範囲が規制されずエンドレスで回転できるが、駆動部は、フォーカスレンズ３６が無限遠端又は至近端の位置まで移動すると、その端を超える移動指令は出力しないようにしている。
【００５４】
また、ＡＦ／ＭＦモード時にＡＦプッシュスイッチの押下によりＡＦモードに一時的に切り替え、その後、ＡＦプッシュスイッチから手を離してＭＦモードに切り替えると、ＡＦモードによって自動的に合焦したフォーカスレンズ３６の位置を引き継いで、第１フォーカスリング７０を操作した分だけフォーカスレンズ３６を変位させることができ、使い勝手がよくなる。
【００５５】
＜ズーム制御＞
駆動部に設けられているシーソー式のズームスイッチを操作すると、駆動部内の電動モータからズームリング５０の周囲に形成されている歯車５０Ａに回転駆動力が伝達され、これによりズームリング５０を回動させることができるようになっている。また、ズームリング５０（ズームリング５０に植設された図示しないズームレバー）を手動で操作することにより、ズームリング５０を回動させることができるようになっている。
【００５６】
ズームリング５０が回動すると、連結軸５２を介して連結されているカム筒４８が回動し、カム筒４８が回動すると、第１本体環１４に形成されている直進溝１４Ａ及びカム筒４８のカム溝４８Ａに係合しているカムピン４６Ａを介して移動枠４６が光軸Ｏ方向に進退移動する。このようにズームリング５０を回動させると、ズームレンズ３２を光軸Ｏ方向に移動させることができ、ズーム倍率を変更させることができる。
【００５７】
上記のようにしてズームレンズ３２の移動によりズーム倍率が変化すると、焦点面が移動するが、駆動部は、ズーム倍率の変化に伴う焦点面の移動を補正する補正光学系としてフォーカスレンズ３６を兼用し、ズーム倍率にかかわらず焦点面が移動しないようにフォーカスレンズ３６の位置を制御している。
【００５８】
即ち、駆動部は、ズーム操作前の現在のズームレンズ３２のズーム位置を、電源投入時のズームリニアＰＯＴの出力及びその後のズーム位置検出用のＭＲセンサの出力から取得するとともに、現在のフォーカスレンズ３６の位置をフォーカスレンズ位置検出用のＭＲセンサから取得し、予め撮影距離毎に準備されている焦点面を移動させないズーム位置とフォーカスレンズ位置との関係を示す補正曲線から、前記取得したズーム位置及びフォーカスレンズ位置に基づいて対応する補正曲線を選択し、その後、ズームレンズ３２の移動量が、ズームレンズ位置検出用のＭＲセンサの出力信号に基づいて検出されると、この検出されたズーム位置に対応するフォーカスレンズ位置（焦点面を移動させないフォーカスレンズ位置）を前記選択した補正曲線から読み出し、読み出したフォーカスレンズ位置にフォーカスレンズ３６を移動させる。
【００５９】
これにより、フォーカス制御により焦点面が、レンズ装置１が装着されたカメラ本体の撮像素子上に位置するようにピント調整した後、ズーム倍率を変更しても焦点面が移動しないようにする（ピントがずれないようにする）ことができる。
【００６０】
これにより、ズーム倍率を変更しても焦点面が移動しないようにすることができる。従って、一旦、フォーカス制御により焦点面がレンズ装置１が装着されたカメラ本体の撮像素子上に位置するようにピント調整すると、その後、ズーム操作してもピントがずれないようにすることができる。
【００６１】
［実施の形態］
次に、上記構成のレンズ装置１に適用された前マスターレンズ３４の芯出しを行う調整機構について詳述する。
【００６２】
図２は、前マスターレンズ３４の周辺を側面から見た断面図である。また、図３は、マウント取付枠２０の内部に保持枠６２が収納された状態を示す外観斜視図である。なお、図２において、マウント取付枠２０、前マスターレンズ３４、保持枠６２、レンズ枠８８、板バネ９０の断面については、図３に示すＡ−Ａ断面の位置に対応させて図示している。
【００６３】
図２に示すように、前マスターレンズ３４はレンズ枠８８に取り付けられている。レンズ枠８８は、後述するように保持枠６２に接着されている。保持枠６２は、ネジにより後固定環１８に取り付けられている。図３に示すように、板バネ９０は、付勢部９０Ａによりレンズ枠８８を保持枠６２に向かって付勢しながら、ネジにより保持枠６２に取り付けられている。図３に示すように、マウント取付枠２０は、内部に保持枠６２が収納され、ネジにより後固定環１８に取り付けられている。
【００６４】
図４は、保持枠６２、レンズ枠８８、板バネ９０の分解斜視図である。図４に示すように、保持枠６２は略円筒形状で構成されており、光軸方向の前端側（レンズ装置１において固定レンズ３０やズームレンズ３２が配置される側）には、中空の前端面が形成されている。そして、この前端面には、レンズ枠８８の突き当て面６２Ａが形成され、突き当て面６２Ａの周囲にエッジ部６２Ｂが形成されている。
【００６５】
エッジ部６２Ｂにより略円形状に囲まれる領域は、レンズ枠８８の突き当て部８８Ａが収納されるレンズ枠収納領域６２Ｃであり、このレンズ枠収納領域６２Ｃの直径はレンズ枠８８の突き当て部８８Ａの外径よりも大きく形成されている。そのため、レンズ枠８８の突き当て部８８Ａの外周部とエッジ部６２Ｂとの間には隙間が設けられている。したがって、レンズ枠８８は突き当て面６２Ａに突き当てられた状態で、レンズ枠収納領域６２Ｃ内で径方向に移動可能である。なお、レンズ枠８８は、光軸方向については後述する板バネ９０の付勢部９０Ａにより付勢される。
【００６６】
また、突き当て面６２Ａには、ピン孔６２Ｄが光軸対称に２箇所形成されている。
【００６７】
なお、エッジ部６２Ｂに、後述する芯出し調整孔９４や仮固定用接着孔９６や本固定用接着溝９８、その他、板バネ９０を取り付けるためのネジ孔１００など設けられている。
【００６８】
レンズ枠８８は、保持枠６２の突き当て面６２Ａに突き当てられるフランジ形状の突き当て部８８Ａと、この突き当て部８８Ａに直結し前マスターレンズ３４が取り付けられる略円筒形状のレンズ取付部８８Ｂなどから形成される。突き当て部８８Ａには、貫通孔であるピン孔８８Ｃが光軸対称に２箇所形成されている。このピン孔８８Ｃは、レンズ枠８８が突き当て面６２Ａに突き当てられた状態で保持枠６２のピン孔６２Ｄと同じ位置にくるように形成される。そして、ピン孔６２Ｄとピン孔８８Ｃにピンを挿入することで、後述するように前マスターレンズ３４の仮の芯出しを行なうことができる。
【００６９】
板バネ９０は、略中空円盤状に形成され、内周部分に付勢部９０Ａが３箇所形成されている。付勢部９０Ａは、板バネ９０の板状面から突出するように予め折り曲げられており、板状面をレンズ枠８８に押し当てるとレンズ枠８８に付勢力を与える。また、内周側には切り欠き部が光軸対称に２箇所形成され、この切り欠き部はピン孔６２Ｄとピン孔８８Ｃにピンを挿入可能にするためのピン逃げ部９０Ｂである。
【００７０】
また、板バネ９０の外周側にも切り欠き部が５箇所形成されているが、この切り欠き部は保持枠６２の仮固定用接着孔９６や本固定用接着溝９８（図５参照）に接着剤を流し込むことができるようにするための接着逃げ部９０Ｃである。また、板バネ９０の外周側にはネジの通し孔９０Ｄが４箇所形成されており、この通し孔９０Ｄにネジを通して板バネ９０を保持枠６２に取り付けることができる。
【００７１】
図５は、レンズ枠８８を保持枠６２に突き当てた状態を示す図であり、レンズ枠８８側から見た図である。
【００７２】
保持枠６２のエッジ部６２Ｂには、外周面から前記のレンズ枠収納領域６２Ｃ（図４参照）まで貫通する遊嵌孔（後述する軸状治具の径に対して大きな径の孔）の貫通孔である芯出し調整孔９４が形成されている。図５に示す例においては、芯出し調整孔９４は周方向に４等分された位置に合計４つ形成されている。なお、芯出し調整孔９４の数は、３つ以上形成されていればよい。
【００７３】
また、保持枠６２のエッジ部６２Ｂには、光軸方向に貫通した仮固定用接着孔９６が２箇所形成されている。この仮固定用接着孔９６は、レンズ枠８８を保持枠６２に突き当てて前マスターレンズ３４の仮の芯出しを行なった状態で、レンズ枠８８の外周部分に相当する位置に形成されている。さらに、保持枠６２には、本固定用接着溝９８が３箇所形成されている。この本固定用接着溝９８は、レンズ枠８８を保持枠６２に突き当てて前マスターレンズ３４の仮の芯出しを行なった状態で、レンズ枠８８の外周部分に相当する位置に形成されている。
【００７４】
また、保持枠６２のエッジ部６２Ｂには、板バネ９０を保持枠６２に取り付けるためのネジ孔１００が４箇所形成されている。さらに、前記の図４において説明したように、保持枠６２とレンズ枠８８には、それぞれピン孔６２Ｄ（図４参照）、ピン孔８８Ｃが形成されている。
【００７５】
以上のような構成からなるレンズ枠８８、板バネ９０が取り付けられた保持枠６２について、前マスターレンズ３４の芯出し調整が完了した状態で当該保持枠６２を後固定環１８に取り付ける方法について、以下に説明する。
【００７６】
まず、保持枠６２の突き当て面６２Ａにレンズ枠８８を突き当てる。
【００７７】
次に、保持枠６２のピン孔６２Ｄおよびレンズ枠８８のピン孔８８Ｃにピンを差込み、前マスターレンズ３４について仮の芯出しを行なう。このとき、レンズ枠８８のピン孔８８Ｃの一方は光軸の垂直方向の長孔となっているので、レンズ枠８８を周方向に規制しながらレンズ枠８８の位置を調整することができる。
【００７８】
次に、ネジ孔１００にネジを締結して板バネ９０を保持枠６２に取り付けた後、ピン孔６２Ｄおよびピン孔８８Ｃからピンを取り外す。
【００７９】
次に、このようにしてレンズ枠８８と板バネ９０が取り付けられた保持枠６２を、ネジにより後固定環１８に取りつける。
次に、仮固定用のマウント取付枠（不図示）の内部に保持枠６２を収納させながら仮固定用のマウント取付枠をネジで後固定環１８に取り付けた後、仮固定用のマウント取付枠にネジでマウント環２２を取り付ける。
【００８０】
次に、ＭＴＦ測定機などを用いてその測定値や像を見ながら、前マスターレンズ３４の芯出し調整を行なう。前マスターレンズ３４の芯出し調整は、図５に示すように矢印方向から芯出し調整孔９４に軸状治具を挿入してレンズ枠８８を突っついて（押して）レンズ枠８８を前記のレンズ枠収納領域６２Ｃ内で移動させて、前マスターレンズ３４の位置を調整することにより行なう。このような前マスターレンズ３４の芯出し調整は、４つ形成された芯出し調整孔９４のうちの適切な芯出し調整孔９４に軸状治具を挿入して行う。
【００８１】
ここで、図６は、前マスターレンズ３４の芯出しを行なうときのレンズ装置１の後端部の外観斜視図（一部透視図）である。なお、説明の便宜上、図６においては仮固定用のマウント取付枠は省略して示している。
【００８２】
図６に示すように、後固定環１８には芯出し調整孔９４に対応する位置に切り欠き部１８Ａが形成され、この切り欠き部１８Ａから軸状治具を芯出し調整孔９４に挿入することができる。なお、仮固定用のマウント取付枠にも芯出し調整孔９４に対応する位置に軸状治具を挿入することができる孔が形成されている。
【００８３】
次に、前マスターレンズ３４の芯出しが完了すると、保持枠６２の後端側（光軸方向についてマウント環２２が配置されている側）から仮固定用接着孔９６（図６参照）内に接着剤を流し込む。これにより、保持枠６２とレンズ枠８８が２箇所で接着されて仮固定がなされる。なお、不図示であるが、仮固定用のマウント取付枠には仮固定用接着孔９６に対応する位置に孔が形成されており、この孔から仮固定用接着孔９６（図６参照）内に接着剤を流し込むことができる。
【００８４】
次に、マウント環２２を仮固定用のマウント取付枠から取り外した後、仮固定用のマウント取付枠および保持枠６２を後固定環１８から取り外す。
【００８５】
次に、保持枠６２の本固定用接着溝９８内に接着剤を流し込む。これにより、保持枠６２とレンズ枠８８が合計５箇所で接着されて本固定がなされる。
【００８６】
次に、レンズ枠８８が本固定された保持枠６２を、後固定環１８に取り付ける。
【００８７】
このように、前マスターレンズ３４の芯出し調整が完了した状態で保持枠６２を後固定環１８に取り付けることができる。
【００８８】
以上より、本発明のレンズ装置１は、保持枠６２について、直径がレンズ枠８８の外径よりも大きいレンズ枠収納領域６２Ｃと、外周面からレンズ枠収納領域６２Ｃまで貫通する遊嵌孔の貫通孔である芯出し調整孔９４とを備えるので、芯出し調整孔９４から軸状治具を挿入してレンズ枠８８を突っついてレンズ枠収納領域６２Ｃ内で移動させることにより、容易に前マスターレンズ３４の芯出しを行なうことができる。
【００８９】
以上、本発明のレンズ装置について詳細に説明したが、本発明は、以上の例には限定されず、本発明の要旨を逸脱しない範囲において、各種の改良や変形を行ってもよいのはもちろんである。
【符号の説明】
【００９０】
１…レンズ装置、３４…前マスターレンズ、６２…保持枠、６２Ａ…突き当て面、６２Ｂ…エッジ部、６２Ｃ…レンズ枠収納領域、８８…レンズ枠、９０…板バネ、９０Ａ…付勢部、９０Ｃ…接着逃げ部、９４…芯出し調整孔、９６…仮固定用接着孔、９８…本固定用接着溝
【図１】
2011033887.tif 000003
【図２】
2011033887.tif 000004
【図３】
2011033887.tif 000005
【図４】
2011033887.tif 000006
【図５】
2011033887.tif 000007
【図６】
2011033887.tif 000008